Podtech/llm-jp-corpus-v4-ja_patent huggingface dataset:
(57)【要約】      （修正有）【課題】屋根の形状に合せて設置でき、面積に合せて継ぎ足せる自動雪かき機を提供する。【解決手段】雪積時に即稼動させることにより、モータ１からチェーン７の１，７の２に連動し、回転部雪降し板２，３が回転し、２，２’，２”と３，３’，３”の順に移動し雪積を軒下へ落とすことをくり返し、屋根の雪を排除する。屋根の長さ方向に後側８、前側９の装置を８’，８”と９’，９”の順に連結する。また、屋根８，９は屋根の上部、棟から下部軒下までの長さに合せる。【選択図】図２
2007332754.tif 000002
【特許請求の範囲】
【請求項１】
屋根の積雪時に即稼動地上へ降ろす雪かき機
【請求項２】
屋根の形状に拘わらず屋根に傷つけることなく取付可能な雪かき機
【請求項３】
屋根の前側後側に長さ横幅に対して簡単に調整取付可能な雪かき機
【請求項４】
屋根の棟に取付けた動力部に複数の装置を継ぎ合せて屋根全体の雪を地上へ落とす雪かき装置
【請求項５】
屋根の棟から軒に向って前側後側同時に行う雪かき機
【請求項６】
屋根の棟から一定の幅に取付けた複数の板状の部品で軒に向って行う雪かき装置
【請求項７】
屋根の積雪量に合せ稼動の速さを自由に変え無雪状態を保つ雪かき機
【請求項８】
屋根の雪を軒先まで板状の部品で集められた雪を回転して地上に落とす雪かき機
【請求項９】
屋根の動力装置は地上で運転、停止、稼動速度を自由に出来る雪かき機
【請求項１０】
屋根の装置は軽量で簡単設計、夏期に取外しも可能な雪かき機
【発明の詳細な説明】
【技術分野】
【０００１】自動雷かき機は雪国の屋根に積もった雷に多大な経費と人力がかかり、特に豪雪地域の安全と重労働を解消するための装置である。
【背景技術】
【０００２】従来の電熱温水を利用した装置が多くあるが、いずれも設置費用及び稼動時に諸費用が高く、しかも屋根の破損がひどく、大きな欠点がある。自動雪かき機はその欠点を解消した装置である。
【発明の開示】
【発明が解決しようとする課題】
【０００３】従来の電熱装置は熱量無駄が多く、電気料が高く付き温水装置も熱量の無駄が多くしかも水の供給費用、温水にする燃料費も高く、その上屋根の破損がひどい。その欠点を皆無にし、しかも稼動時は稼動電動機の電気料だけで済む。
【課題を解決するための手段】
【０００４】従来多種の装置があり、いずれも設備費用、稼動費用、屋根の破損があり、如何に少なくするかを考え自動雪かき機を考案した特長は屋根に傷をつけず設置出来しかも稼動時の経費も少なく運転も容易に出来る。
【発明の効果】
【０００５】自動雪かき機を設置することにより雪国の長年の課題であった屋根の雪かきに多くの費用と重労働を必要とし、しかも雪かきによる事故もなくすることを目的に開発した。
【実施例１】
【０００６】自動雪かき機は屋根の形状に併せ乗せ６の１、６の２のボルトで前側後側それぞれ固定の４の１、４の２、５の台で屋根に設置、モーターで伝動の７の１、７の２のチェーンで２、３の取付け部の除雪板が２、２’、２”と３、３’、３”それぞれ動き雪を排除する。
【実施例２】
【０００６】自動雪かき機は実施例１の稼動部を屋根の面積に合せ前側９，９’，９”と繋ぎ同じく稼動させる後側も８，８’，８”と繋ぎ足し稼動する。屋根棟から軒先までの長さに合せた装置８，９取付け可能
【図面の簡単な説明】
【０００７】
【図１】本発明の正面図である
【図２】本発明の使用状態を示す断面図である
【符号の説明】
【０００８】１．主動力モーター
２．回転部雪降し板  ２、２’、２”は回転時の位置
３．回転部雪降し板  ３、３’、３”は回転時の位置
４．屋根に固定する台  ４の１、４の２
５．棟部取付け台
６．前側後側取付ネジ  ６の１、６の２
７．回転部のチェーン
８．後側の装置全体
９．前川の装置全体  ９’、９”と連結する
【図１】
2007332754.tif 000003
【図２】
2007332754.tif 000004
(57)【要約】      （修正有）【課題】型枠で小開口部を構築する際に、組付け操作が簡単で簡便に使用できるサポートを提供する。【解決手段】小開口部を構築する際に使用するサポートＡは、主体部材１と進退部材２と操作部材３を組み合わせて構成される。主体部材１である主体筒５の一端にはベース板４を備え、他端は操作部材３の操作筒６を回動自在に組付ける。進退部材２には、螺子杆９が設けられており該操作筒６に設けた雌ねじ７に螺合し、他端には前記ベース板４に相対する受圧板１０を設ける。【選択図】図１
2007332701.tif 000002
【特許請求の範囲】
【請求項１】
一端にベース板を備えた主体筒の他の一端に操作筒を回動自在に組付け、該操作筒に設けた雌ねじに螺合して一端を前記主体筒に嵌挿した螺子杆の他の一端に、前記ベース板に相対する受圧板を設けた、サポート。
【発明の詳細な説明】
【技術分野】
【０００１】
この発明は、小開口枠を構築する際の型枠に作用する側圧または小空間の上部荷重を支える際に適用するサポートに係り、特に強度安定性と施工性を向上させたものである。
【背景技術】
【０００２】
従来、この種のサポートとして一端に固定板を備えた主体筒の他の一端に雌ねじを設け、該雌ねじに一端を螺合した螺子杆の他の一端に受圧板を設けた構造のもの（例えば、特許文献１）や、例示するまでもなく、現場で桟木を適当な長さに切断して支持空間に差し込み間隔を保持するようにしている。
【０００３】
【特許文献１】実開平１−６２４４７号公報
【発明の開示】
【発明が解決しようとする課題】
【０００４】
従来例中前記文献記載の構造のものは、螺子杆の回動操作によって主体筒からの該螺子杆の突出量を調節して荷重を受けるようにしているため、操作部が軸線に沿って移動することになり、また、該操作部のハンドルを受圧部付近に設けると、狭い場所でのハンドル操作（螺子杆の進退操作）作業となることから、その作業に手間がかかり煩雑である。
【０００５】
前記桟木の方法の場合は、手間を要するばかりでなく、つぶれによる精度的な、或いは、強度的な問題が発生し、必ずしも実用的ではない。
【０００６】
この発明は、前記の従来例の欠点に着目し、簡便に使用でき、強度的にも不都合のないサポートを提供することを目的として創案したものである。
【課題を解決するための手段】
【０００７】
一端にベース板を備えた主体筒の他の一端に操作筒を回動自在に組付け、該操作筒に設けた雌ねじに螺合して一端を前記主体筒に嵌挿した螺子杆の他の一端に、前記ベース板に相対する受圧板を設けた構成としたものである。
【発明の効果】
【０００８】
本発明によれば、主体筒を軸として操作筒を回動させることにより、主体筒からの螺子杆の突出量を自在に調節できるものであるから、操作位置が移動することなく、定位置で前記の調節操作を行えるから、操作上不都合なく簡便に使用でき、実用上好適なサポートを提供できる。
【実施例】
【０００９】
図面は本発明に係るサポートの一実施例を示し、図１は一部欠截正面図、図２は図１ａ−ａ線断面図である。
【００１０】
実施例のサポートＡは、主体部材１と進退部材２および操作部材３を互いに組付けて構成したもので、主体部材１は一端にベース板４を熔接固着した円筒状の主体筒５の他の一端側を絞り加工して縮径させて細径軸部５ａを設けて構成したものである。
【００１１】
この主体部材１の主体筒５の前記細径軸部５ａに、外側から操作筒６を嵌合して組付けた前記操作部材３は、筒主体６ａの上端にナット材６ｂを熔接して雌ねじ７を設けた前記操作筒６と、該操作筒６の筒主体６ａの周側にくの字形の杆体の中央部を熔接して操作ハンドル８を突設して構成し、前記の通り、主体筒５の前記細径軸部５ａの外側に操作筒６を嵌め込んで、前記ナット材６ｂにおいて主体筒５上に載置し、その載置した状態で操作ハンドル８の操作によって回動させるようにしたものである。
【００１２】
なお、ナット材６ｂに代えて筒主体６ａに雌ねじ７を直接設けるようにしてもよい。
【００１３】
前記進退部材２は、螺子杆９の一端に、主体部材１の前記ベース板４と相対するように受圧板１０を熔接（止着）して構成し、前記螺子杆９の他の一端９´側を操作部材３側の前記雌ねじ７に螺合させて主体部材１の主体筒５内に嵌挿したもので、主体筒５内に、螺子杆９の前記一端９´部にはＯリング１１を取付け、螺子杆９の当該Ｏリング１１部の外径を前記細径軸部５ａの内径より大きくして、主体部材１（主体筒５）と進退部材２（螺子９）の組付け状態が保たれるようにしてある。
【００１４】
しかして、例えば、土台ｂとコンクリート型枠ｍとの間に、ベース板４を土台ｂ側に、受圧板１０を型枠ｍ側に配するようにして介在させ、操作ハンドル８の操作によって操作筒６を回動させると、螺子杆９はその回動方向に従って主体筒５に対して進退し、互いに相対する受圧板１０が型枠ｍ側に、また、ベース板４が土台ｂ側にそれぞれ圧接して、型枠ｍ側の荷重を支えるのである。
【００１５】
サポートＡは、図示では縦方向の使用例を示すが横方向に用いて側圧を受けるようにしても良いことは勿論である。
【００１６】
また、螺子杆９は軸線方向のほぼ全域に雄ねじを刻設してあるが、必要個所にのみ設ければ良いことはいうまでもない。
【００１７】
なお、ベース板４と受圧板１０は、型枠等に釘着して用いても良く、それぞれの方形状の４隅に設けた透孔１２は、この釘着に利用するためのものである。
【図面の簡単な説明】
【００１８】
【図１】一部欠截正面図。
【図２】図１ａ−ａ線断面図。
【符号の説明】
【００１９】
４      ベース板
５      主体筒
６      操作筒
７      雌ねじ
９      螺子杆
１０    受圧板
【図１】
2007332701.tif 000003
【図２】
2007332701.tif 000004
(57)【要約】【課題】触媒作用による消臭が枕、掛け布団、クッションなどの製品の芯材部分で行なえるようにし、枕、掛け布団などの寝具、座布団、クッションなどをより有用なものとする。【解決手段】有害ガス成分の分解を行なう消臭機能物質が含まれている合成樹脂製繊維または表面に前記消臭機能物質を有する合成樹脂繊維からなる不織布を断裁した面状小片４と柔軟な合成樹脂製発泡体の粉砕状物５と羽毛６とを混合した充填材３を袋体２内に収容した。【選択図】図１
2007236457.tif 000002
【特許請求の範囲】
【請求項１】
有害ガス成分の分解を行なう消臭機能物質が含まれている合成樹脂製繊維または表面に前記消臭機能物質を有する合成樹脂繊維からなる不織布を断裁した面状小片と柔軟な合成樹脂製発泡体の粉砕状物と羽毛とを混合した充填材が袋体内に収容されていることを特徴とする充填材入り小袋。
【請求項２】
上記面状小片の繊維が起伏してなる起毛状表面に、合成樹脂製発泡体の粉砕状物の微細小片が係止保持されている請求項１に記載の充填材入り小袋。
【発明の詳細な説明】
【技術分野】
【０００１】
本発明は枕や掛け布団などの寝具、そして座布団やクッションなどの中身として用いられる充填材を入れた小袋に関するものである。
【背景技術】
【０００２】
従来から枕や掛け布団などの寝具の充填材として柔軟な合成樹脂製発泡体の小ブロックやチップ、綿、羽毛など使用されているが、このような寝具、そして、座布団、クッションなども含めて、数々の工夫が提案されている。例えば、抗菌・消臭剤を含有している粒状発泡合成樹脂材や合成樹脂繊維材が羽毛の羽枝に絡まるようにしたものを寝具等に詰めて、消臭性を高めるようにする工夫も提案されている（特許文献１参照）。さらに、アンモニア、ＶＯＣ、アルデヒドなどの有害ガス成分に対して分解による消臭機能を有した物質を含浸させた繊維を用いて寝具の表皮材を作成することも提案されている（特許文献２参照）。
【特許文献１】特開２０００−０５１０３７号公報
【特許文献２】特開平０８−２８０７８１号公報
【発明の開示】
【発明が解決しようとする課題】
【０００３】
上述した有害ガス成分に対して消臭機能のある繊維の織布を寝具などの表皮材として利用することは、使用を繰り返すことによって生じ易い臭いを止める他、居室内の空気中に漂う悪臭成分も取り除く新たな機能を与える試みである。
しかしながら、アンモニア、ＶＯＣ、アルデヒドなどの有害ガス成分に対して消臭機能のある物質は触媒作用でこれらを分解するものが多く、表皮材として利用した場合には寝具、座布団、クッションなどの表面部分でのみしか、消臭機能が働かないものとなっており、使用によって空気の保持と出入りとが頻繁に繰り返される芯材部分でこの触媒作用による消臭機能を行なわせるようにしたいとの要望があった。即ち、触媒作用による消臭機能は継続し易く、従来の吸着作用が使用を経るに伴なって低下していく活性炭物質を充填材に含むものより優れるからである。
そこで、本発明は上記事情に鑑み、触媒作用による消臭が枕、掛け布団、クッションなどの製品の芯材部分で行なえるようにすることを課題とし、枕、掛け布団などの寝具、座布団、クッションなどをより有用なものとすることを目的とする。
【課題を解決するための手段】
【０００４】
本発明は上記課題を考慮したもので、有害ガス成分の分解を行なう消臭機能物質が含まれている合成樹脂製繊維または表面に前記消臭機能物質を有する合成樹脂繊維からなる不織布を断裁した面状小片と柔軟な合成樹脂製発泡体の粉砕状物と羽毛とを混合した充填材が袋体内に収容されていることを特徴とする充填材入り小袋を提供して、上記課題を解消するものである。
そして、本発明において、上記面状小片の繊維が起伏してなる起毛状表面に、合成樹脂製発泡体の粉砕状物の微細小片が係止保持されているものとすることが良好である。
【発明の効果】
【０００５】
本発明によれば、袋体の内部に収容されている充填材の一部である不織布の面状小片によってアンモニア、ＶＯＣ、アルデヒドなどの有害ガス成分を分解する働きを有するものとなるため、本小袋を枕、掛け布団、座布団、クッションなどの内側にセットすれば、これらの使用に伴なって空気の出入りと空気の保持とが繰り返されて、空気の浄化が行なわれるようになる。
【０００６】
充填材の一つとする柔軟な合成樹脂製発泡体の粉砕状物は、小袋が或る程度の弾性変形をするように機能するものであるが、粉砕状物中には大きさが極めて小さい微細小片も数多く含まれていて、多くの微細小片が袋体内で部分的に片寄って硬さのバランスが崩れ易くなる。そこで、面状小片がこれら微細小片を係止保持することで、多くの微細小片が集まるのを防止して、硬さのバランスが崩れないようにする。
【発明を実施するための最良の形態】
【０００７】
つぎに本発明を図に示す実施の形態に基づいて詳細に説明する。
図中１は充填材入り小袋で、該小袋１は一体または複数体を枕、掛け布団などの寝具に入れてそれらの芯としたり、座布団やクッションに入れて芯とするものである。
そして、小袋１は通気性のある織布からなる袋体２に複数種の充填材３を混合して収容したもので、前記充填材３は、不織布を小さな短冊状に断裁した面状小片４と柔軟な合成樹脂製発泡体の粉砕状物５と羽毛６である。
【０００８】
上記面状小片を構成している不織布は消臭機能を有するものであって、アンモニア、ＶＯＣ、アルデヒドなどの有害ガス成分の分解を触媒作用によって行なう消臭機能物質が含まれている合成樹脂製繊維または表面に前記消臭機能物質を有する合成樹脂繊維からなる不織布である。よって、この不織布からなる面状小片を一つの充填材としている小袋１を枕、掛け布団などの芯として使用したり、座布団やクッションの芯として使用すれば、空気が内部に取り込まれる度に、その空気に含まれている有毒ガス成分が分解され、浄化された状態の空気が外部に放出されるようになる。
【０００９】
また、上記面状小片４の表面７は図２に示されているように数多くの繊維が起伏することによって毛羽立った起毛状表面とされ、この表面７に上記粉砕状物中の形状の極めて小さい数多くの微細小片８が絡め捕られるように係止保持されていて、面状小片４と絡め捕った複数の微細小片８とでクッション塊を形成している。そのため、これら充填材の混合をよく行なって面状小片４を分散させれば、小袋１の袋体２中に多くの微細小片８が存在しても片寄った状態で溜まることがなく分散配置できる。勿論、袋体２中で空気の保持機能に優れる羽毛６についても微細小片８を係止保持するものである。
【図面の簡単な説明】
【００１０】
【図１】本発明に係る充填材入り小袋の一例を一部断面で示す説明図である。
【図２】面状小片を示す説明図である。
【符号の説明】
【００１１】
１…小袋
２…袋体
３…充填材
４…面状小片
５…粉砕状物
６…羽毛
７…面状小片の表面
８…微細小片
【図１】
2007236457.tif 000003
【図２】
2007236457.tif 000004
(57)【要約】【課題】ロールペーパーにおけるミシン目の有効活用を課題とする。【解決手段】ロールペーパーの切断用ミシン目ラインBの後方に、明瞭な擬似ミシン目ラインAをプレスマークとして表示することにより、ミシン目＝切断ラインといった既成観念に基づいた潜在心理によって、ミシン目切断位置が擬似ミシン目ラインAでみなし確認された後に切断操作がなされる結果、実際の切断ラインCと擬似ミシン目ラインAとの間隔余幅以上の長さが摘まみ代として残り、切断用ミシン目ラインBの有効活用が可能となる。【選択図】図１
2007236500.tif 000002
【特許請求の範囲】
【請求項１】
切断用ミシン目が施されたロールペーパーにおいて、目視用の擬似ミシン目ラインを入れたことを特徴とする。
【請求項２】
請求項１に記載された擬似ミシン目ラインAはロールペーパーの引き出し方向Yに対し、切断用ミシン目Bの後方に適度な間隔をもって成されることを特徴とする。（図１参照）
【請求項３】
請求項１に記載された擬似ミシン目ラインAはプレスマークによって成されることを特徴とする。
【発明の詳細な説明】
【技術分野】
【０００１】
本発明は、ロールペーパーのミシン目表示に関する。
【背景技術】
【０００２】
切断用ミシン目が施されているトイレット用ロールペーパーにおいて、そのミシン目の加工ラインは不明瞭で位置の確認が困難であった。よって大方の場合、切断の際は折角の切断用ミシン目機能は無視され、ペーパーホルダーの上部カバーを押さえてその端部で引き千切るといった使用方法が多かった。その結果、ペーパーの切り口が乱雑となり後の使用者に不快感を与えるだけでなく、切り残り幅に摘まみ代が無くなり使用上不都合な事が多い等、切断用としてのミシン目加工が有効に活用されることは少なかった。これは、極力薄くてソフトなペーパーの引っ張り強度とのバランス条件下で、鋭利な刃先による繊細なミシン目のライン加工がなされるために結果として、その存在が確認不明瞭な形状で目的に沿わない現象が生じている事に起因している。
【０００３】
上述したそれらの不明瞭なミシン目ラインによる諸問題について、ミシン目を有効活用した切断方法とその切断後に摘まみ代を残す等の快適使用ついて、すでにいくつかの考案がなされて下述の通り開示されている。
【特許文献１】特開２００１−０００３５７号
【特許文献２】特開２００３−２３５７５４号上述の文献は何れも、ミシン目ラインを着色印刷等してその位置を目立たせる方法である。
【特許文献３】実開平６−０１９６９２号
【特許文献４】実開平６−０４１５９２号上述の文献は何れも、ミシン目ライン付近に任意の意匠マークを印刷してその存在を強調する方法である。
【発明の開示】
【発明が解決しようとする課題】
【０００４】
しかし使用の際、上述したこれらの考案による強調マークや着色ラインを確認し、そのライン通過後に任意の摘まみ代を残して停止させ切断するその都度の意識的行為は非日常的でもあり、ミシン目の停止位置によっては上部抑えカバーの先端ラインの線に沿ったカットがなされて十分な摘まみ代が残らない等、依然として使用上不都合な問題が残ることになる。本来、ロールペーパー等の使用は、日常的な習慣性動作として無意識に行なわれる性格のものであり、ペーパー引き出し操作の都度にホルダーカバーの端部から出現し通過する着色ラインや強調された目印の確認は、それが目立つほど目障りとなり違和感さえ覚える事にもなる。又、目印のラインやマークの印刷工程によって派生する生産コストに加え、着色に用いるインクへの安全性や視覚的に清潔感を損なうと言った問題点も指摘される。そこで本発明では生活習慣として無意識になされる引き出し操作の結果、十分な摘まみ代が残って切断され、かつ視覚的にも違和感なく日常性を有した使用を可能とする等、これらの諸問題を低コスト及び普遍的に解決することを課題とする。
【課題を解決するための手段】
【０００５】
上述した課題を解決するため、図１に示すようにロールペーパーZの引き出し方向Yに対し、切断ミシン目ラインBの後方に適度な間隔をもって擬似ミシン目ラインAを明確なプレスマークとして表示する。
使用時のペーパー引き出し操作の際は、明確な擬似ミシン目ラインAが際立つことにより不明瞭なミシン目ラインBは無視されやすく、擬似ミシン目がカットラインとして認識されて無意識のうちに切断操作が行なわれることになる。これは、ミシン目＝切断ラインといった既成観念に基づいた潜在心理の作用によるもので、その結果、実際に切断されたラインである切断部ラインCと擬似ミシン目ラインAとの間隔に、回転停止時の上部カバー先端部からのオーバーラン分をプラスした余幅が摘まみ代として残ることになる。そのA、B双方のラインは同時加工が容易であり、低コストと共に着色インク等が不要なため環境保全への対応性を有する。又、ペーパー引き出し操作時においてもプレスマークからなる擬似ミシン目のみのため違和感を与えずに普遍的である等、以上、本発明によって本課題を容易に解決することが可能となる。（図１参照、）
【発明の効果】
【０００６】
ミシン目切断の活用率が高い事を前提とした場合、ペーパーに従来品より厚みと強度をもたせる等の素材の張力や切断に関わる諸条件の基準再考により、感覚的にロールペーパーの使用絶対量が軽減できるといった資源節約への啓蒙的効果の可能性を有する。又、擬似ミシン目によって切断ラインが目認される心理的効果によりロールペーパーの切断操作が丁寧に成される確率が高くなり無駄が少なくなる事が期待される。
【０００７】
本発明によるミシン目切断の有効活用によって確実に十分な摘まみ代が得られることから、先願技術（特願２００５−２８３７１９）等のストッパー機能付きペーパーホルダーとの併用によっては、既存のキッチン用ロールペーパータオルとトイレット用ロールペーパーとの中間的機能を有する多機能リビング用ロールペーパーや、ウエスロールペーパーとしての新たな用途で利便性と多様性を拡大させる市場性を秘めている。
【発明を実施するための最良の形態】
【０００８】
本考案による具体的な摘まみ代の余幅は、擬似ミシン目Aとミシン目Bとの間隔（仮に１〜２センチとした場合）と擬似ミシン目を目認してロールパーパーの回転を停止して切断操作を開始する時点での上部カバーの先端部からのオーバーラン（仮に３〜４センチとした場合）、との合計（４〜６センチ）が次の摘まみ代となる。
【０００９】
従来のトイレ用ロールペーパーのミシン目の間隔は２０数センチ程度（幅の約２倍）が大半であるが、一回の引き出し操作に要する成人の肘の平均的な作動範囲（引き出し寸法）を考慮すれば、ミシン目毎のスパンの間隔が約３０センチ前後である事も快適使用の有効条件といえる。
【図面の簡単な説明】
【００１０】
【図１】各ミシン目の配置イメージ図である。
【符号の説明】
【００１１】
A  擬似ミシン目ライン
B  ミシン目ライン
C  ミシン目Ｂによる切断ライン
Z  ペーパーロール本体
Y  ペーパー引き出し方向
【図１】
2007236500.tif 000003
(57)【要約】【課題】  配水管等に電熱線を装着する場合、現状では電熱線よりセンサーの口径が大きい場合があり、その口径の違いによって出来る隙間を塞ぐ為にコーキング材や防水テープ等が使用されて要る。併しどちらも作業性に問題が有り、狭い空間では作業が困難であったり、手が届かず防水テープに隙間が出来たりの不具合が多く防水性に疑問があった。【解決手段】  作業性の向上と防水性の信頼度を増すため、簡単に取付けられ狭い作業空間でも完全に防水できる装置が望まれた。一体型のクランプの内部を圧迫する事によってパッキンが隙間に伸びて行き電熱線に密着する又電熱線までの空間に延びたパッキンが皮膜を形成し密閉防水する。この一連の工程をナット１個締め付ける事で全ての工程が完了する防水ケーブルクランプ装置である。【選択図】図１
2007236177.tif 000002
【特許請求の範囲】
【請求項１】
取付け工程が簡単でどの配水管にも取付けられるキャップ。
【請求項２】
圧迫する事で内部の空間に伸び電熱線に密着するパッキン。
【請求項３】
均一にパッキンを圧迫するスリーブ。
【請求項４】
内部にパッキン及び圧迫装置を装着した防水ケーブルクランプ本体
【発明の詳細な説明】
【技術分野】
【０００１】本発明は先端の口径が大きく、付随する線等が先端より小さな口径の防水に関する装置である。
【背景技術】
【０００２】従来先端の大きさで穴を開け付随する線等が先端より小口径の場合の防水は、コーキング材又は防水テープを巻く方法があるが、どちらも作業性に問題があった。コーキング材の場合は作業環境が狭い空間ではコーキング材が巧く入らず完全防水出来ないことが多々ある。又防水テープは作業性が困難なうえに密着性が不十分で十分な防水効果が期待できない危惧がある。
【発明の開示】
【発明が解決しようとする課題】
【０００３】発明が解決しようとする課題は、狭い空間でも安全に作業でき、防水性に優れ、取替えが簡単で口径が大きな開口部でも簡単に防水ができるケーブルクランプ装置。【０００４】そこで本発明の目的は簡単に取付け可能な防水ケーブルクランプを金属又は硬質樹脂によって形成しＹ管及びＴ管等にキャップを被せ、そのキャップに取付ける。キャップに取付けたケーブルクランプは先端が通る大きな開口部に付随する小口径の線等に拠って出来る空間を、防水ケーブルクランプのナットを締め付ける事により圧迫され、内部の防水パッキンが空間に迫り出し電熱線等に密着又皮膜を形成することによって防水する防水ケーブルクランプ装置である。
【課題を解決するための手段】
【０００５】前記目的を達成して課題を達成するため本発明に係る防水ケーブルクランプ装置は先端の大きさと付随する線等の口径の違いによって出来る空間に水等が侵入又は内部の水等が出て来ない様に防水する防水ケーブルクランプである。このクランプは締め付けナットを締め付ける事によって内部に装着されているゴムパッキンが圧縮され、圧縮されたゴムパッキンが内部の空間に押し出される事により空間と線等に密着及び皮膜効果で防水する防水ケーブルクランプである。
【発明の効果】
【０００６】作業性の向上と防水の二面性を配慮し、狭い空間でも安全簡単に取付けられる防水ケーブルクランプ装置は住宅及びあらゆる所で使用可能な防水ケーブルクランプ装置である。本発明は従来の作業工程を短縮、狭い空間での作業性の改善、防水の完全性、取替え作業の用益性等、防水工事を大幅に改善できる防水ケーブルクランプ装置である。
【発明を実施するための最良の形態】
【０００７】以下、添付図面に基づいて本発明の実施例を説明する。
図１は、本発明に係る防水ケーブルクランプ装置の一例を示す物である。この防水ケーブルクランプは金属又は樹脂で形成し、１のスノーダクトに融雪水及び雨水が流れ込み２の排水管口から４の配水管を通って排水される、冬期間４の排水管の融雪水は凍る可能性があり一般的に電熱線１０によって保温、凍結を防いでいる。１０の電熱線は先端に１１のセンサーが装着されておりこのセンサーに拠って温度を感知し電源を入れたり切ったりしている、これら１０の電熱線と１１のセンサーの口径はセンサーが大きく電熱線本体は細い。【０００８】１１のセンサーが通った穴は電熱線がその穴に通っていても隙間が開き防水出来ない、その隙間を埋める為３のＹ管に５のキャップを取付ける。
５のキャップに３３の防水ケーブルクランプ装置を取付ける。
【実施例】
【０００９】図２は本発明に使用する防水ケーブルクランプ装置の一例である。
５のキャップにクランプ装置３３を２６の固定用パッキンを挟み装着する２７の固定用ナットで３３を固定し２２、２３、２４、２５、３０、３３に１１のセンサーを通す。【００１０】１１のセンサーが通った３３の内径の大きさは１０の電熱線の口径より大きく隙間が出来る。この隙間をリング状に装着されている２３のパッキンと２４のワッシャー２５のパッキンが重ねられている防水部分を２２のスリーブが３０の締め付けネジによって２３、２４、２５、を圧迫する。【００１１】圧迫された２３と２５が内部空間に伸び出し１０の電熱線に密着する。これによって空間に皮膜を作り防水作用をする。
【産業上の利用可能性】
【００１２】以上説明したように本発明に係る防水ケーブルクランプ装置は、機構が簡単な上、作業がしやすく狭い所でも取付けられ、取替えが用益で防水性能に優れた防水ケーブルクランプ装置である。
【図面の簡単な説明】
【００１３】
【図１】本発明に係る廃棄物熱分解処理装置の一例を示す斜視図である。
【図２】本発明に係る廃棄物熱分解処理装置の一例を示す斜視図である。
【符号の説明】
【００１４】１    スノーダクト
２    排水口
３    Ｙ管
４    配水管
５    キャップ
１０  電熱線
１１  センサー
２２  スリーブ
２３  パッキン
２４  ワッシャー
２５  パッキン
２６  固定用パッキン
２７  固定用ナット
３０  締付ナット
３３  クランプ装置本体
【図１】
2007236177.tif 000003
【図２】
2007236177.tif 000004
(57)【要約】      （修正有）【課題】畳部の厚さによらず、確実に固定することのできる畳ベッド用手摺りを実現する。【解決手段】ベース部１１を畳ベッド１２の畳部１３に敷き込み、畳ベッド１２の畳部１３と縁部の間から立ち上がり部１７を立ち上がらせる。立ち上がり部１７に設けたパイプ部１８に手摺り部２０を上方から差込み、下端部を縁部に当て、止めねじ２２で固定して使用する。畳部の厚さがどのようなものであっても、確実に手摺り部２０の下端の当て部２４が縁部に当接する状態となるので、確実安定に手摺りを固定することができる。【選択図】図１
2007236608.tif 000002
【特許請求の範囲】
【請求項１】
畳ベッドの畳部の下部に敷き込まれるベース部と、
このベース部に対して固定され、畳ベッドの畳部と縁部の間から上方へ立ち上がる立ち上がり部と、
この立ち上がり部に固定され、上下に貫通し、下端が畳ベッドの縁部の上方に位置するパイプ部と、
下部がこのパイプ部に挿通され、上部が握り部となった手摺り部と、
前記パイプ部に設けられ、手摺り部を上方から最下部まで差し込んだ状態で固定する止めねじと、
前記手摺り部の下端に設けられ、軟質材よりなり、畳ベッドの縁部上面に当接して、この縁部を保護する当て部と、
からなる畳ベッド用手摺り。
【発明の詳細な説明】
【技術分野】
【０００１】
本発明は、畳ベッドに取り付けて、身障者、高齢者等が起き上がる際に使用する畳ベッド用手摺りに関する。
【背景技術】
【０００２】
従来より、ベッドに取り付ける手摺りは数多く知られているが、畳ベッドは縁部の構造が特殊であるため、一般のベッド用手摺りは使用できないことが多い。このため、畳ベッド専用の手摺りが必要となる。この畳ベッド用手摺りとして、畳ベッドの畳部下部から、畳ベッドの畳部と縁部の間を通って上方へ伸び、さらにこの縁部上面へ延びるベース部を設け、このベース部の縁部上の部分に手摺り部を固定した構造のものが提案されている（特許文献１参照）。
【０００３】
この構造では、ベース部の形状は、畳部の厚さに合わせる必要がある。正しく合わないと、畳が浮き上がったり、あるいはベース部の縁部上の部分が浮き上がった状態となり、手摺り部が不安定になる。市販の畳ベッドの畳部の厚さを実際に測ってみると、１センチメートル程度の薄いものから５センチメートル以上の厚いものまでさまざまである。したがって、このベース部に手摺り部を固定した構造では、畳部の厚さに合わせてベース部を多数用意しなければならず、商品として、実用的とはいえない。
【０００４】
【特許文献１】実用新案登録第３０８０５１０号公報
【発明の開示】
【発明が解決しようとする課題】
【０００５】
そこで、本発明は、より実用的となるよう、畳部の厚さによらず、確実に固定することのできる畳ベッド用手摺りを実現することを目的としている。
【課題を解決するための手段】
【０００６】
本発明は、畳ベッドの畳部の下部に敷き込まれるベース部と、このベース部に対して固定され、畳ベッドの畳部と縁部の間から上方へ立ち上がる立ち上がり部と、この立ち上がり部に固定され、上下に貫通し、下端が畳ベッドの縁部の上方に位置するパイプ部と、下部がこのパイプ部に挿通され、上部が握り部となった手摺り部と、前記パイプ部に設けられ、手摺り部を上方から最下部まで差し込んだ状態で固定する止めねじと、前記手摺り部の下端に設けられ、軟質材よりなり、畳ベッドの縁部上面に当接して、この縁部を保護する当て部と、からなる畳ベッド用手摺りである。
【発明の効果】
【０００７】
本発明の畳ベッド用手摺りは、ベース部を畳ベッドの畳部に敷き込み、畳部と縁部の間から立ち上がり部を立ち上がらせた後、このパイプ部に手摺り部を上方から差込み、下端部を縁部に当て、止めねじで固定して使用する。したがって、畳部の厚さがどのようなものであっても、確実に手摺り部の下端の当て部が縁部に当接する状態となるので、確実安定に手摺りを固定することができる。
【発明を実施するための最良の形態】
【０００８】
以下に、本発明を実施例について詳しく説明する。
【実施例】
【０００９】
図１，２に本発明の実施例の畳ベッド用手摺り１０を示す。
【００１０】
この畳ベッド用手摺１０において、ベース部１１は、一枚の金属薄板よりなり、畳ベッド１２の畳部１３の下部に敷き込まれる。この例では、ベース部１１の各所に取り付け孔１４，…が形成され、釘，木ねじ等（図示しない）で畳ベッド１２に固定することもできる。また、ベース部１１の端部１５は、補強のため、上方に折り曲げられた形状となり、畳ベッド１２の畳部１３と縁部１６の間に位置する。
【００１１】
立ち上がり部１７は、やや厚い金属帯材よりなり、ベース部１１の２箇所に夫々一体となるよう溶接され、畳ベッド１２の畳部１３と縁部１６の間から上方へ立ち上がる。
【００１２】
パイプ部１８が、立ち上がり部１７に溶接されている。このパイプ部１９は、上下に貫通し、下端は畳ベッド１２の縁部１６の上方に位置する。この例では、２のパイプ部１８，１８は、補強材１９により互いに結合されている。
【００１３】
手摺り部２０は、パイプ材を逆Ｕ字状に形成してなり、下部はパイプ部１８に挿通され、上部はゴム材で被覆されて握り部２１となっている。
【００１４】
止めねじ２２がパイプ部１８に設けられている。この止めねじ２２は、パイプ部１８の側面に螺合し、ダイアル２３を回転させることにより、先端をパイプ部１８の内部に突出させるものであり、手摺り部２０を上方から最下部まで差し込んだ状態で固定する。
【００１５】
当て部２４が、手摺り部２０の下端に設けられている。この当て部２４は、硬質ゴム、プラスチック等の軟質材よりなり、畳ベッド１２の縁部１６に当接し、通常木製である縁部１６を保護する。
【００１６】
この畳ベッド用手摺り１０は、以上の構成であるから、ベース部１１を畳ベッド１２の畳部１３に敷き込み、必要に応じて、取り付け孔１４，…と釘等を用いて固定し、畳部１３と縁部１６の間から立ち上がり部１７を立ち上がらせる。この後、パイプ部１８に手摺り部２０を上方から差込み、下端の当て部２４を縁部１６に当て、止めねじ２２で固定して使用する。こうして、確実安定に手摺りを固定することができる。
【図面の簡単な説明】
【００１７】
【図１】本発明の実施例の斜視図である。
【図２】同例のベース部部分の断面図である。
【符号の説明】
【００１８】
１０    畳ベッド用手摺り
１１    ベース部
１２    畳ベッド
１３    畳部
１４    取り付け孔
１５    端部
１６    縁部
１７    立ち上がり部
１８    パイプ部
１９    補強材
２０    手摺り部
２１    握り部
２２    止めねじ
２３    ダイアル
２４    当て部
【図１】
2007236608.tif 000003
【図２】
2007236608.tif 000004
(57)【要約】【課題】歯科用治療椅子のアームレストにボタンを内蔵し、痛かったらボタンを押すことでＬＥＤを点灯させ、先生（術者）に意思を伝えるようにし、患者さんが気軽に明確に自分の意思を先生に伝えることができるようにした。【解決手段】アームレスト１６（１６L，１６R）の先端に押しボタン（１７L，１７R）を有し、ヘッドレスト１１に前記押しボタン１７の操作によって点灯するＬＥＤ１８（１８L，１８C，１８R）を有し、該ＬＥＤ１８の点灯によって患者の意思（例えば、痛いこと）を術者に伝えるようにした。前記押しボタン１７を複数（１７L，１７R）有し、操作した押しボタンによって前記ＬＥＤ１８の発光色が異なるようにし、“痛い”ことの意思表示と“そうでない場合”の意思表示を区別するようにすることもできる。【選択図】図１
2007236615.tif 000002
【特許請求の範囲】
【請求項１】
アームレストの先端に押しボタンを有し、ヘッドレストに前記押しボタンの操作によって点灯するＬＥＤを有し、該ＬＥＤの点灯によって患者の意思を術者に伝えるようにしたことを特徴とする歯科用治療椅子。
【請求項２】
前記押しボタンを複数有し、操作した押しボタンによって前記ＬＥＤの発光色が異なることを特徴とする請求項１に記載の歯科用治療椅子。
【請求項３】
前記押しボタンを左右アームレストのそれぞれの先端に有し、操作した押しボタンによって前記ＬＥＤの発光色が異なることを特徴とする請求項１に記載の歯科用治療椅子。
【請求項４】
前記ＬＥＤを前記ヘッドレストの複数箇所に有するとともに、前記押しボタンを複数個有し、操作した押しボタンによって点灯するＬＥＤの箇所が異なることを特徴とする請求項１に記載の歯科用治療椅子。
【発明の詳細な説明】
【技術分野】
【０００１】
本発明は、歯科用治療椅子、より詳細には、歯科治療中、患者が自分の意思（例えば、痛いとか）を術者に気軽に伝達することができる機能を備えた歯科用治療椅子に関する。
【背景技術】
【０００２】
従来、歯科治療中に、術者が患者さんに対して、“痛かったら手を上げて下さい”とか、“痛いと言って下さい”とか、言っているが、実際に診療中に痛かったら手を上げてくださいと言われても、恐怖心と恥ずかしさから躊躇してしまう患者さんもおり、また、診療中は身体が緊張しているため、手を上げること自体がスムーズにはできない患者さんもいる。
【発明の開示】
【発明が解決しようとする課題】
【０００３】
上述のように、従来、診療中に痛かったら手を上げて意思表示をしているが、“痛かったら手を上げて下さい”と言われても、恐怖心と恥ずかしさから躊躇してしまう患者さんがいる。また、診療中は身体が緊張しているため、手を上げること自体がスムーズにはできない患者さんもいる。
【０００４】
本発明は、歯科用治療椅子のアームレストにボタンを内蔵し、痛かったらボタンを押すことでＬＥＤを点灯させ、先生（術者）に意思を伝えるようにし、アームレストのボタンを押すだけで、患者さんが気軽に明確に自分の意思を先生に伝えることができるようにしたものである。
【課題を解決するための手段】
【０００５】
請求項１の発明は、アームレストの先端に押しボタンを有し、ヘッドレストに前記押しボタンの操作によって点灯するＬＥＤを有し、該ＬＥＤの点灯によって患者の意思を術者に伝えるようにしたことを特徴としたものである。
【０００６】
請求項２の発明は、請求項１の発明において、前記押しボタンを複数有し、操作した押しボタンによって前記ＬＥＤの発光色が異なることを特徴としたものである。
【０００７】
請求項３の発明は、請求項１の発明において、前記押しボタンを左右アームレストのそれぞれの先端に有し、操作した押しボタンによって前記ＬＥＤの発光色が異なることを特徴としたものである。
【０００８】
請求項４の発明は、請求項１の発明において、前記ＬＥＤを前記ヘッドレストの複数箇所に有するとともに、前記押しボタンを複数個有し、操作した押しボタンによって点灯するＬＥＤの箇所が異なることを特徴としたものである。
【発明の効果】
【０００９】
本発明は、アームレストの先端に押しボタンを内蔵し、痛かったら該押しボタンを押すことでＬＥＤを点灯させ、先生に自分の意思を伝えるようにしたので、患者さんは気軽に明確に自分の意思を先生に伝えることができ、しかも、指を動かすだけなので、誰でも簡単に意思表示ができる。
【発明を実施するための最良の形態】
【００１０】
図１は、本発明による歯科用治療椅子の一実施例を説明するための図で、該治療椅子は、周知のように、安頭台１１、バックレスト１２、コンターシート１３、レッグレスト１４、フットレスト（ステップ）１５、アームレスト（肘受け）１６（１６L，１６R）等からなり、患者は、周知のように、治療椅子に座って、歯科治療を受ける。
【００１１】
治療椅子の形態は、図示例のものに限定されるものではなく、従来より周知の任意所望の形態のものを使用することができるが、本発明においては、アームレスト（肘受け）１６を具備し、該アームレスト１６の先端部には、押しボタンスイッチ１７が取り付けられており、安頭台にはＬＥＤ１８が取り付けられている。
【００１２】
歯科治療中、患者が“痛い”と感じた時に、アームレスト１６（１６L，１６R）の先端に取り付けてある押しボタン１７（１７L，１７R）を押すと、ヘッドレスト１１に取り付けられているＬＥＤ１８（１８L，１８C，１８R）が点灯して、術者に“痛い”ということを知らせることができる。
【００１３】
図示のように、左右両方のアームレスト１６L，１６Rの先端に押しボタン１７L，１７Rを設けておき、ヘッドレスト１１にも複数のＬＥＤ１８（１８L，１８C，１８R）を設けておき、例えば、左側アームレスト１６Lの押しボタン１７Lを押した時は、これらＬＥＤ全てが赤色発光し、右側のアームレスト１６Rの押しボタン１７Rを押した時は、これら全てのＬＥＤ全てが青色発光する等して、操作する押しボタンによってＬＥＤの発光色が異なるようにしておけば、患者は、“痛い場合”と“そうでない（例えば、先生に何か言いたい）場合”とを区別して、意思表示を行うことができる。
【００１４】
また、片手が不自由な患者さんのことを考えれば、各アームレストに場所を変えて２個以上の押しボタンを設けておき、患者さんがそれらを使い分けることで、異なる意思表示を行うようにすることもできる。また、以上には、操作する押しボタンによってＬＥＤの発光色が異なるようにした例を示したが、ＬＥＤの配設場所を変えておき、どの場所のＬＥＤが点灯したかによって、患者さんの意思が分るようにしてもよい。
【図面の簡単な説明】
【００１５】
【図１】本発明による歯科用治療椅子の一実施例を説明するための図である。
【符号の説明】
【００１６】
１１…ヘッドレスト、１２…バックレスト、１３…コンターシート、１４…レッグレスト、１５…フットレスト、１６L，１６R…アームレスト、１７L，１７R…押しボタン、１８…ＬＥＤ。
【図１】
2007236615.tif 000003
(57)【要約】【課題】  災害時および野外において長期保存がきき火を使用せずに、お茶、コーヒー、インスタント食品等を飲食する為のお湯を安全に沸かすこと。【解決手段】  一つの容器内に長期保存可能な飲料水、反応をうながす水溶液、生石灰を配置し上部水溶液容器を移動させることにより薄膜を破壊し生石灰と水溶液が混じり反応熱により飲料水が沸騰する状態を蒸気穴により目視できる安全な容器。【選択図】図１
2007236893.tif 000002
【特許請求の範囲】
【請求項１】
二重構造の容器であり、下方に生石灰を収納し上方において螺合し底部が薄膜で形成され移動後には適宜破壊手段に拠り前記薄膜が破壊されて流出する反応用の水溶液が収容されている反応容器を有する内容器と該内容器とは適宜空間を形成して設ける外容器とから成り、該外容器の外周面に保温材を被せて成る生石灰の反応熱を利用する加熱容器。
【請求項２】
請求項１に記載の外容器上部に蒸気穴を有し適宜手段に拠り前記蒸気穴が開放される構造。
【発明の詳細な説明】
【技術分野】
【０００１】  本発明は、災害時及び野外等において即席カップ食品、コーヒー、お茶等を飲食する為に火を使用しないで安全にお湯を沸かすことに関する。
【背景技術】
【０００２】  従来、生石灰の反応熱を利用して食品等を温める発明、考案はあるが飲料水を２次的に使用する為に沸騰させかつ安全に使用できるものはない。【０００３】
【特許文献１】特開２００３−５１０５５３
飲料缶の下部に生石灰と反応液を配置し飲料缶を逆にして底部を押すことにより突起が薄膜を破壊し混合させる。
【発明の開示】
【発明が解決しようとする課題】
【０００４】  このような構造は上下を逆にして生石灰と反応液を混合させる為、混ざり合うまで時間をおき元にもどしてから発熱をまち使用するので、戻すことが遅れたりすると容器が熱くなりすぎ不都合であると共に飲料水の入っている部分が内圧により破壊される恐れが考えられ、災害時等においては操作が簡単で安価なものが要求される。
【課題を解決するための手段】
【０００５】  上述の目的を達成する本発明の加熱容器は、二重構造であり下方に生石灰を収納し上方において螺合し底部が薄膜で形成され移動後には適宜破壊手段に拠り前記薄膜が破壊されて流出する反応用の水溶液が収納されている反応容器を有する内容器と該内容器とは適宜空間を形成して設ける外容器とから成り、該外容器の外周面に保温材を被せて成る生石灰の反応熱を利用すると同時に蒸気穴を開放し加熱空間の内圧を逃がす事により安全に使用可能であり目視により沸騰具合が確認できる。
【発明の効果】
【０００６】  以上説明したように本発明によれば、災害時等においてライフライン等が復旧されていない初期の状況、及びガス漏れ等で火を使用できない状態での避難住民に温かい飲物、即席食品を食するのに沸騰した、お湯を安全に供給する為に飲料水、反応水溶液、生石灰が一体になっており、長期保存が可能なので緊急時における対応、及び沸騰したお湯を２次的に広範囲で利用することができ極めて有効であると共に一般的な野外等、風の影響を受けやすい場所、及び火を使用できない場所においても有効である。
【発明を実施するための最良の形態】
【０００７】  以下、本発明の実施の形態を図面に基づき詳細に説明する。【０００８】  図１は本発明の容器の断面図である。【０００９】  図１の断面図において中央部分に反応容器４を位置し、下方に生石灰７が収納され上方に水溶液容器１があり、その間に突起を有した破壊板５がある。【００１０】  反応容器４の外側部空間に飲料水９が入っていて外容器８の外周面は保温材６で被われている。【００１１】  水溶液容器１を廻すことにより螺合している前記水溶液容器１が移動し底部薄膜１３が破壊板５により破壊され水溶液１２が流出し生石灰７と混じり反応熱で飲料水９を加熱し沸騰させる。【００１２】  また、水溶液容器１の底部薄膜１３の破壊において薄膜１３に接着した紐状の端を容器外にだし引くことによっても達成できる。【００１３】  シール１１は水溶液容器１に端が接着され前記水溶液容器１を移動することにより蒸気穴１０に剥離可能な状態にある部分が開放され飲料水９の内圧を逃がすと共に目視により沸騰具合が確認できる。【００１４】  もしくは上述、シール１１は個別で剥離することも可能である。【００１５】  前記、記載の破壊板５の形状は円、長方形等があり適宜選択される。【００１６】  反応容器４は外容器８と脱着させることにより、再利用も可能である。【００１７】  以上、本発明の形態を説明したが、本発明の範囲は飲料水を即席食品等に飲食する為に２次的なお湯を提供するものであり容器の構造、材質は状況に応じて適宜選択されるものである。
【図面の簡単な説明】
【００１８】
【図１】  図１は断面図である。
【符号の説明】
【００１９】  １    水溶液容器
２    注ぎ口シール
３    注ぎ口
４    反応容器
５    破壊板
６    保温材
７    生石灰
８    外容器
９    飲料水
１０  蒸気穴
１１  蒸気穴シール
１２  水溶液
１３  薄膜
【図１】
2007236893.tif 000003
(57)【要約】【課題】フックを使用する事無くカーテンを束ねられるように、カーテンの端にタッセルを設けたタッセル付きカーテンを提供する。【解決手段】カーテン（１）の端にタッセル（２）をボタンで取り付けた、タッセル付きカーテンを特徴とする。【選択図】図１
2007236898.tif 000002
【特許請求の範囲】
【請求項１】
カーテン（１）の端にタッセル（２）をスナップボタン（３）（４）で取り付けた、タッセル付きカーテン。
【請求項２】
カーテン（１）の端にタッセル（２）をボタン（６）（７）で取り付けた、タッセル付きカーテン。
【発明の詳細な説明】
【技術分野】
【０００１】  この発明は、カーテンの端にタッセルを取り付けた、タッセル付きカーテンに関するものである。
【背景技術】
【０００２】  従来、カーテンとタッセルは別々になっていた。
【発明の開示】
【発明が解決しようとする課題】
【０００３】  これは、次のような欠点があった。
カーテンを束ねる際に使用するタッセルは、それを掛けておく為に、フックを別に購入しなければならなかった。
タッセルを掛ける為のフックは、両面接着テープ（商標登録）又はネジなどで、窓枠に取り付けて使用しなければならなかった。
フックに掛けてあるタッセルは、風などにより落下することがあった。
本発明は、以上のような欠点をなくす為になされたものである。
【課題を解決するための手段】
【０００４】  カーテン（１）の端にタッセル（２）をボタンで取り付ける。
本発明は、以上の構成よりなるタッセル付きカーテンである。
【発明の効果】
【０００５】  タッセルとカーテンが一体となっているので、フックを別に購入することなく使用でき経済的である。
フックを、両面接着テープ（商標登録）やネジなどで、窓枠に取り付けなければならなった従来のものと比べて、窓枠を傷つけることなく使用できる。
タッセルの落下を防止できる。
【発明を実施するための最良の形態】
【０００６】  以下、本発明を実施する為の最良の形態について説明する。
カーテン（１）の裏面の端にスナップボタン（３）凸を設け、タッセル（２）の端にスナップボタン（４）凹を設け、カーテンとタッセルを固定する。タッセルの両端にマジックテープ（商標登録）（５）を付ける。
本発明は、以上のような構造でこれを使用するときは、カーテンを束ね、タッセルの両端に付いたマジックテープ（商標登録）で留める。
【図面の簡単な説明】
【０００７】
【図１】  ボタン又は、スナップボタンを設けたタッセル付カーテンの平面図である。
【図２】  スナップボタンを設けたタッセル付きカーテンの断面図である。
【図３】  ボタン又は、スナップボタンを設けたタッセル付カーテンの斜視図である。
【図４】  ボタンを設けたタッセル付きカーテンの断面図である。
【符号の説明】
【０００８】１カーテン
２タッセル
３スナップボタン凸
４スナップボタン凹
５マジックテープ（商標登録）
６ボタン
７ボタンホール
【図１】
2007236898.tif 000003
【図２】
2007236898.tif 000004
【図３】
2007236898.tif 000005
【図４】
2007236898.tif 000006